(57)【要約】【課題】ジャム発生して加熱回転体に完全に巻き付いた記録媒体を容易に排出し、記録媒体上の未定着トナーが、加熱回転体に付着する事を防止する。【解決手段】加熱回転体３１と加圧回転体３２とにより未定着像を有する記録媒体Ｓを挟持して定着処理を行う定着装置３０において、加熱回転体３１に対する加圧回転体３２の加圧を解除する加圧解除手段５０と、加熱回転体３１を駆動回転させる駆動手段と、駆動手段に連結し記録媒体Ｓを排出可能にするジャム処理操作部材３９と、を有する定着装置。【選択図】        図５
2005043446.tif 000002
【特許請求の範囲】
【請求項１】
加熱回転体と加圧回転体とにより未定着像を有する記録媒体を挟持して定着処理を行う定着装置において、
前記加熱回転体に対する前記加圧回転体の加圧を解除する加圧解除手段と、
前記加熱回転体を駆動回転させる駆動手段と、
前記駆動手段に連結し前記記録媒体を排出可能にするジャム処理操作部材と、
を有することを特徴とする定着装置。
【請求項２】
前記ジャム処理操作部材は、前記加熱回転体と前記加圧回転体との挟持位置の前記記録媒体の搬送方向上流側にのみ前記記録媒体を排出可能にすることを特徴とする請求項１に記載の定着装置。
【請求項３】
前記加熱回転体または前記加圧回転体の回転速度は、前記ジャム処理操作部材の回転速度に対し減速するように前記駆動手段のギア比を構成したことを特徴とする請求項１又は２に記載の定着装置。
【請求項４】
前記駆動手段のモータの正逆回転、及び一方向クラッチにより、前記駆動手段と前記加圧解除手段とを切り換えることを特徴とする請求項１〜３の何れか１項に記載の定着装置。
【請求項５】
前記ジャム処理操作部材は、前記モータに対し一方向クラッチより下流側で連結していることを特徴とする請求項１〜４の何れか１項に記載の定着装置。
【請求項６】
前記加圧解除手段に、加圧解除駆動が一方向にのみ回転可能な一方向クラッチ付き駆動部材を設けたことを特徴とする請求項１，４，５の何れか１項に記載の定着装置。
【請求項７】
画像形成手段により単色又は多色の画像を形成して記録媒体に転写し、用紙搬送手段により前記記録媒体を搬送し、請求項１〜６の何れか１項に記載の定着装置により前記記録媒体上に形成された単色又は多色画像を定着することを特徴とする画像形成装置。
【発明の詳細な説明】
【０００１】
【発明の属する技術分野】
本発明は、記録媒体に形成されたトナー像を定着する定着装置、及び該定着装置を備えた単色又は多色の画像形成装置に関するものである。
【０００２】
【従来の技術】
画像形成装置において、加熱溶融性の樹脂より成るトナーを担持する記録媒体を加熱定着する定着装置には、熱ローラ方式や、熱定着ベルト方式等が採用されている。
【０００３】
熱ローラ方式の定着装置は、内部にハロゲンヒータ等の発熱体を備えた加熱回転体と、これに圧接する加圧回転体とから構成され、この一対のローラの圧接部である定着ニップ部に用紙等の記録媒体を通過させる事により、記録媒体に担持されたトナー像を加熱、溶融させるものである。
【０００４】
特許文献１に記載された定着装置は、加熱回転体に加圧回転体を圧接するための圧力を付与する加圧手段と、加圧手段の加圧力に抗して加熱回転体に対する加圧回転体の圧接状態を解除する加圧解除手段とを有し、両回転体の弾性層の永久変形の防止と、ジャム紙の除去とを行うものである。
【０００５】
【特許文献１】
特開平１１−１２５９８５号公報
【０００６】
【発明が解決しようとする課題】
特許文献１に記載された定着装置の加圧解除手段により、単純な紙詰まりによるジャム処理は可能であるが、加熱回転体に記録媒体が完全に巻き付いたジャムの場合、加熱回転体の外周面に用紙が貼り付き密着してしまう事がある。加熱回転体の外周面から記録媒体を取り除くためには、加熱回転体を回転させる程の力が必要になり、ジャム処理を容易に行う事が困難であった。
【０００７】
特に、カラー画像形成装置においては、一般に、記録媒体上に形成される写真やグラフ等の多色のトナー像の形成面は単色のトナー像に比して広く、且つ多色のトナー像の形成厚さが単色のトナー像に比して大である。
【０００８】
また、カラー画像形成装置では、カラー画像を鮮明にするため、特殊な塗工処理を施した記録媒体を用いる事がある。さらに、カラー画像に光沢を付加するため、定着温度を高く設定する事が行われる。
【０００９】
このようなカラー画像処理を行う定着装置においては、画像形成手段によって形成された多色の未定着のトナー像が、定着装置の加熱回転体により溶融加熱されて定着される時、加熱回転体に多色のトナー像を担持した記録媒体が完全に巻き付いてジャムを発生することがある。加熱回転体に巻き付いた記録媒体を引き剥がして取り除く事は困難であり、強引に引っ張ると記録媒体がちぎれて、残存の紙片を定着装置から取り出す事は、更に困難である。
【００１０】
本発明は、従来の定着装置における前記のような問題を解決し、下記の目的を達成するものである。
【００１１】
（１）  加熱回転体に完全に巻き付いた記録媒体を容易に排出する。
（２）  ジャム発生した記録媒体上の未定着トナーによる汚れが、加熱回転体に付着する事を防止する。
【００１２】
（３）  少ない力で、ジャム発生した記録媒体を取り出し可能にする。
（４）  定着駆動と加圧解除とを行う駆動手段の機構を簡単にする。
【００１３】
（５）  ジャム処理操作部材によって、記録媒体を定着ニップ部の記録媒体搬送方向上流側に戻してジャム処理する。
【００１４】
（６）  ジャム処理操作を容易、且つ安全に行う。
（７）  記録媒体上に単色又は多色のトナー画像を形成して定着処理する画像形成装置において、定着装置におけるジャム処理を容易にする。特に、カラー画像形成装置により塗工紙等の記録媒体に形成された多色のトナー画像を定着する場合、或いは、トナー画像に光沢処理を行って定着する場合に、記録媒体の加熱ローラへの巻き付きを発生したときの記録媒体除去を容易にする。
【００１５】
【課題を解決するための手段】
前記の本発明の目的は、下記の発明により達成される。
【００１６】
（１）  加熱回転体と加圧回転体とにより未定着像を有する記録媒体を挟持して定着処理を行う定着装置において、前記加熱回転体に対する前記加圧回転体の加圧を解除する加圧解除手段と、前記加熱回転体を駆動回転させる駆動手段と、前記駆動手段に連結し前記記録媒体を排出可能にするジャム処理操作部材と、を有することを特徴とする定着装置。
【００１７】
（２）  前記ジャム処理操作部材は、前記加熱回転体と前記加圧回転体との挟持位置の前記記録媒体の搬送方向上流側にのみ前記記録媒体を排出可能にすることを特徴とする前記（１）に記載の定着装置。
【００１８】
（３）  前記加熱回転体または前記加圧回転体の回転速度は、前記ジャム処理操作部材の回転速度に対し減速するように前記駆動手段のギア比を構成したことを特徴とする前記（１）又は（２）に記載の定着装置。
【００１９】
（４）  前記駆動手段のモータの正逆回転、及び一方向クラッチにより、前記駆動手段と前記加圧解除手段とを切り換えることを特徴とする前記（１）〜（３）の何れか１項に記載の定着装置。
【００２０】
（５）  前記ジャム処理操作部材は、前記モータに対し一方向クラッチより下流側で連結していることを特徴とする前記（１）〜（４）の何れか１項に記載の定着装置。
【００２１】
（６）  前記加圧解除手段に、加圧解除駆動が一方向にのみ回転可能な一方向クラッチ付き駆動部材を設けたことを特徴とする前記（１）（４），（５）の何れか１項に記載の定着装置。
【００２２】
（７）  画像形成手段により単色又は多色の画像を形成して記録媒体に転写し、用紙搬送手段により前記記録媒体を搬送し、前記（１）〜（６）の何れか１項に記載の定着装置により前記記録媒体上に形成された単色又は多色画像を定着することを特徴とする画像形成装置。
【００２３】
【発明の実施の形態】
以下、本発明の実施の形態を説明する。なお、本欄の記載は請求項の技術的範囲や用語の意義を限定するものではない。
【００２４】
［画像形成装置］
図１は、本発明に係る定着装置を備えた画像形成装置の構成図である。
【００２５】
画像形成装置Ａは、タンデム型カラー画像形成装置と称せられるもので、複数組の画像形成手段１０Ｙ，１０Ｍ，１０Ｃ，１０Ｋと、ベルト状の中間転写体６と給紙装置２０及び後述する定着装置３０とからなる。
【００２６】
画像形成装置Ａの上部には、画像読取装置Ｂが設置されている。原稿台上に載置された原稿は画像読取装置Ｂの原稿画像走査露光装置の光学系により画像が走査露光され、ラインイメージセンサに読み込まれる。ラインイメージセンサにより光電変換されたアナログ信号は、画像処理部において、アナログ処理、Ａ／Ｄ変換、シェーディング補正、画像圧縮処理等を行った後、露光手段３Ｙ，３Ｍ，３Ｃ，３Ｋに入力される。
【００２７】
イエロー（Ｙ）色の画像を形成する画像形成手段１０Ｙは、像担持体としての感光体ドラム１Ｙの周囲に配置された帯電手段２Ｙ、露光手段３Ｙ、現像装置４Ｙ及びクリーニング手段５Ｙを有する。マゼンタ（Ｍ）色の画像を形成する画像形成手段１０Ｍは、像担持体としての感光体ドラム１Ｍ、帯電手段２Ｍ、露光手段３Ｍ、現像装置４Ｍ及びクリーニング手段５Ｍを有する。シアン（Ｃ）色の画像を形成する画像形成手段１０Ｃは、像担持体としての感光体ドラム１Ｃ、帯電手段２Ｃ、露光手段３Ｃ、現像装置４Ｃ及びクリーニング手段５Ｃを有する。黒（Ｋ）色の画像を形成する画像形成手段１０Ｋは、像担持体としての感光体ドラム１Ｋ、帯電手段２Ｋ、露光手段３Ｋ、現像装置４Ｋ及びクリーニング手段５Ｋを有する。帯電手段２Ｙと露光手段３Ｙ、帯電手段２Ｍと露光手段３Ｍ、帯電手段２Ｃと露光手段３Ｃ及び帯電手段２Ｋと露光手段３Ｋとは、潜像形成手段を構成する。
【００２８】
４Ｙ，４Ｍ，４Ｃ，４Ｋは、イエロー（Ｙ）、マゼンタ（Ｍ）、シアン（Ｃ）及び黒（Ｋ）の小粒径トナーとキャリアからなる二成分現像剤を内包する現像装置である。
【００２９】
中間転写体６は、複数のローラにより巻回され、回動可能に支持されている。画像形成手段１０Ｙ，１０Ｍ，１０Ｃ，１０Ｋより形成された各色の画像は、回動する中間転写体６上に一次転写手段７Ｙ，７Ｍ，７Ｃ，７Ｋにより逐次転写されて（一次転写）、合成されたカラー画像が形成される。
【００３０】
給紙装置２０の用紙収納部（給紙カセット）２１内に収容された記録媒体（以下、用紙と称す）Ｓは、給紙手段（第１給紙部）２２により給紙され、給紙ローラ２３，２４，２５，２６、レジストローラ（第２給紙部）２７等を経て、二次転写手段（転写ローラ）９に搬送され、用紙Ｓ上にカラー画像が転写される（二次転写）。
【００３１】
なお、画像形成装置Ａの下部に鉛直方向に縦列配置された３段の用紙収納部２１は、ほぼ同一の構成をなすから、同符号を付した。また、３段の給紙手段２２も、ほぼ同一の構成をなすから、同符号を付してある。用紙収納部２１、給紙手段２２を含めて給紙装置２０と称す。
【００３２】
カラー画像が転写された用紙Ｓは、定着装置３０において用紙Ｓが挟持され、熱と圧力とを加えることにより用紙Ｓ上のカラートナー像（或いはトナー像）が定着されて用紙Ｓ上に固定され、排紙ローラ２８に挟持されて機外の排紙トレイ２９上に載置される。
【００３３】
一方、二次転写手段９により用紙Ｓにカラー画像を転写した後、用紙Ｓを曲率分離した中間転写体６は、クリーニング手段８により残留トナーが除去される。
【００３４】
定着処理された用紙Ｓを反転排紙する場合には用紙Ｓは定着装置３０と排紙ローラ２８の中間に配置された分岐板２８Ａの図示右側の搬送路を通過し、下方の搬送路ｒ１に搬送された後、逆転搬送されて分岐板２８Ａの図示左側の搬送路ｒ２を通過し、排紙ローラ２８により装置外に排出される。
【００３５】
用紙Ｓの両面に複写する場合には、用紙Ｓの第１面に形成した画像を定着処理した後、用紙Ｓを搬送路ｒ１、さらに搬送路ｒ３に導入した後、逆転搬送し、搬送路ｒ４に搬送した後、上方に迂回し給紙ローラ２６により搬送する。用紙Ｓは画像形成手段１０Ｙ，１０Ｍ，１０Ｃ，１０Ｋにおいて第２面に各色の画像が両面に形成され、定着装置３０により加熱定着処理され、排紙ローラ２８によって装置外に排出される。
【００３６】
なお、画像形成装置Ａの説明においては、カラー画像形成にて説明したが、モノクロ画像を形成する場合も本発明に含まれるものである。
【００３７】
［定着装置の構成］
以下、画像形成装置Ａの定着装置３０を説明する。
【００３８】
図２は、加熱ローラ方式の定着装置３０の一実施の形態を示す断面図である。定着装置３０は、加熱回転体（以下、加熱ローラと称す）３１、加圧回転体（以下、加圧ローラと称す）３２、ヒータ等の加熱源３３，３４等から成る。
【００３９】
加熱ローラ３１の周囲には、クリーニングローラ３５、及び図示しない温度センサ、温度異常防止手段が配置され、加熱ローラ３１の内部には加熱源３３が配置されている。
【００４０】
加圧ローラ３２の周囲にも、温度センサ、温度異常防止手段が配置され、加圧ローラ３２の内部には加熱源３４が配置されている。
【００４１】
加熱源３３，３４には、ハロゲンランプ、誘導加熱手段等が用いられる。加熱ローラ３１は、熱伝導性基体（芯金）、弾性層、離型層等により構成されている。加圧ローラ３２は、熱伝導性基体（芯金）、弾性層、被覆層により構成される。
【００４２】
加熱ローラ３１と加圧ローラ３２との挟持位置の用紙搬送方向下流側には、分離爪３６、及び排紙ローラ３７が配置されている。
【００４３】
［定着装置の駆動手段］
図３は定着装置の駆動手段の正面図、図４（ａ），（ｂ）は駆動手段の模式図、図５は駆動手段の斜視図である。
【００４４】
定着装置３０の加熱ローラ３１を駆動する駆動手段は、操作者手前側に配置されている。駆動手段は、ＤＣモータ（以下、モータと称す）Ｍ、ギアＧ１〜Ｇ１３、一方向クラッチＣＬ１〜ＣＬ２等から成る。
【００４５】
正逆転可能なモータＭの回転部に固定されたギアＧ１は、２段のギアＧ２，Ｇ３を介してギアＧ４を回転させる。ギアＧ４の回転軸上には、一方向クラッチＣＬ１を内蔵したギアＧ５と、一方向クラッチＣＬ２を内蔵したギアＧ６とが配置されている。
【００４６】
ギアＧ５はギアＧ７を介して、加熱ローラ３１の回転軸上に固定されたギアＧ９に係脱可能に噛み合う。また、ギアＧ７はギアＧ８を回転させる。ギアＧ８の回転軸３８の軸端にはジャム処理操作部材３９が固定されている。
【００４７】
ギアＧ６はギアＧ１０を介してギア１１に噛み合う。ギアＧ１１には一方向クラッチＣＬ３が内蔵されている。ギア１０と同軸上に固定されたギアＧ１２はギアＧ１３に噛み合う。ギアＧ１３の回転軸上にはカム５５が固定される。
【００４８】
モータＭ、ギアＧ１〜Ｇ１３、回転軸３８は、平行な２枚の支持基板４０，４１に支持されている。
【００４９】
［加熱ローラの駆動］
図３において、モータＭの正回転駆動により、ギアＧ１が実線で示す矢印方向に正回転し、ギアＧ２，Ｇ３を介してギアＧ４を逆回転させ、一方向クラッチＣＬ１（図４参照）を内蔵するギアＧ５のみを正回転させ、ギアＧ７を介して加熱ローラ３１の回転軸上に固定されたギアＧ９を正回転させる。
【００５０】
なお、ギアＧ４の正回転時に、一方向クラッチＣＬ２（図４参照）を内蔵するギアＧ６は停止状態に保持される。
【００５１】
［加圧ローラの加圧解除駆動］
定着装置３０内で用紙Ｓのジャムが発生した時には、加圧ローラ３２を加熱ローラ３１との圧接位置から離間させて、用紙Ｓを引き出さねばならない。
【００５２】
加圧ローラ３２の加圧解除駆動は、モータＭの逆回転駆動により行われる。図３において、モータＭの逆回転駆動により、ギアＧ１が破線で示す矢印方向に逆回転し、ギアＧ２，Ｇ３を介してギアＧ４を正回転させ、一方向クラッチＣＬ２（図４参照）を内蔵するギアＧ６のみを逆回転させ、ギアＧ１０を介してギアＧ１１を逆回転させる。
【００５３】
なお、ギアＧ４の逆回転時に、一方向クラッチＣＬ１（図４参照）を内蔵するギアＧ７は停止状態に保持される。
【００５４】
図６は、加熱ローラ３１と加圧ローラ３２の加圧状態を示す定着装置３０の断面図、図７は、加圧ローラ３２を加熱ローラ３１から離間させた加圧解除状態を示す定着装置３０の断面図である。
【００５５】
加圧解除手段５０は、加圧ローラ３２を支持して揺動可能な揺動板５１、揺動板５１を揺動可能に支持する支軸５２、揺動板５１の端部近傍に回転可能に支持されたコロ５３、揺動板５１を一方向に付勢するバネ５４、コロ５３に圧接して揺動板５１を揺動させるカム５５、支持基板４０，４１に固定されカム５５を回転可能に支持するカム軸５６から構成されている。
【００５６】
用紙Ｓが、加熱ローラ３１と加圧ローラ３２との挟持位置を通過する際に、ジャムを発生したときには、モータＭを逆回転させ、ギアＧ１，Ｇ２，Ｇ３，Ｇ４，Ｇ６，Ｇ１２，Ｇ１３を経てカム軸５６を回転させる。
【００５７】
カム軸５６の回転によりカム５５が回転し、コロ５３を圧接して、揺動板５１が支軸５２を中心にして図示の時計方向に揺動する。揺動板５１の揺動により、揺動板５１の反円弧面５１Ａに接する加圧ローラ３２の軸受部材（ベアリング）３２Ａが移動し、軸受部材３２Ａと同軸上の加圧ローラ３２が自重で下方に移動して、加熱ローラ３１との挟持位置から離間して停止する。
【００５８】
［ジャム処理操作］
ジャム発生時には、画像形成装置Ａの操作部において、モータＭの逆転駆動を指定する事により、上述の加圧解除駆動を開始し、加圧ローラ３２が加熱ローラ３１との挟持位置から離間した後、ジャム処理操作部材３９を把持して、図３の破線矢印の反時計方向、及び図５に示す反時計方向に手動で回転させる。
【００５９】
ジャム処理操作部材３９の反時計方向回転により、回転軸３８に固定されたギアＧ８が回転し、ギアＧ７を介してギアＧ９が回転する。ギアＧ９の回転によって加熱ローラ３１は図５に示す反時計方向に回転する。
【００６０】
定着装置３０内の用紙搬送路でジャム発生した時、ジャム処理操作部材３９の手動回転操作により、加熱ローラ３１と加圧ローラ３２とのニップ位置の用紙Ｓは、用紙搬送方向上流側にのみ用紙Ｓが排出されるから、用紙Ｓが加熱ローラ３１に巻き付く事が防止される。また、用紙Ｓ上の未定着トナーによる汚れが、ニップ位置において加熱ローラ３１に付着する事が防止される。
【００６１】
また、加熱ローラ３１または加圧ローラ３２の回転速度は、ジャム処理操作部材３９の回転速度に対し減速するように駆動手段のギア比を構成した。即ち、ジャム処理操作部材３９は、加熱ローラ３１に対して減速するようにギア比を構成する事により、少ないトルクでジャム処理操作部材３９を回転させる事が可能になる。例えば、ジャム処理操作部材３９に固定されたギアＧ８の歯数を２０、加熱ローラ３１に固定されたギアＧ９の歯数を６０に設定すれば、ジャム処理操作部材３９の３回転で、加熱ローラ３１が１回転するから、加熱ローラ３１の回転トルクに対して、ジャム処理操作部材３９を三分の一のトルクで回転させる事が可能になる。
【００６２】
駆動手段の１個のモータＭの正逆回転切り換え、及び一方向クラッチＣＬ１，ＣＬ２により、定着駆動と加圧解除とを切り換えることにより、機構が簡単になる。
【００６３】
ジャム処理操作部材３９は、駆動手段のモータＭに対し一方向クラッチＣＬ１，ＣＬ２より下流側で連結する事により、定着装置３０のニップ位置の用紙搬送方向上流側にジャム紙を取り出す事が可能であるから、用紙Ｓ上の未定着トナーによる汚れが、ニップ位置において加熱ローラ３１に付着する事が防止される。
【００６４】
加圧解除手段５０に、加圧解除駆動が一方向にのみ回転可能な一方向クラッチＣＬ３を設けたから、モータＭの正逆回転を利用し、定着駆動と加圧解除とを切り換える場合、ジャム処理操作部材３９によりニップ位置の上流側に用紙Ｓを排出するには、一方向クラッチＣＬ３を加圧解除駆動側に連結させることで、逆方向に回転する事は無くなり、ジャム処理操作部材３９が戻される事はなく、ジャム処理が容易かつ安全に行えるようになる。
【００６５】
本発明の実施の形態では、カラー画像形成装置に装着された定着装置について説明したが、単色又は多色の複写機、ファクシミリ、プリンタ、及びこれらの機能を有する複合機等にも適用可能である。
【００６６】
【発明の効果】
以上詳述したように、本発明の定着装置及び画像形成装置により、以下の優れた効果が得られる。
【００６７】
（１）  請求項１に係る発明によれば、加圧解除手段と、駆動手段に連結したジャム処理操作部材とを設ける事により、加熱ローラを容易に回転させる事が可能となり、加熱ローラに完全に巻き付いた用紙でも確実に処理する事が可能になる。
【００６８】
（２）  請求項２に係る発明によれば、ジャム処理操作部材が加熱ローラのニップ位置の上流側にのみ用紙を排出可能にする事により、用紙が加熱ローラに巻き付く事が防止される。また、未定着トナーによる汚れが加熱ローラに付着する事が防止される。
【００６９】
（３）  請求項３に係る発明によれば、ジャム処理操作部材は、加熱ローラに対して減速するようにギア比を構成する事により、少ないトルクでジャム処理操作部材を回転させる事が可能になる。
【００７０】
（４）  請求項４に係る発明によれば、１個のモータで正逆回転を行い、定着駆動と定着圧解除とを切り換える事が可能になり、機構が簡単になる。
【００７１】
（５）  請求項５に係る発明によれば、ジャム処理操作ノブを駆動側の一方向クラッチの下流側で連結する事で、定着装置のニップ位置の上流側にジャム紙を取り出す事が可能である。
【００７２】
（６）  請求項６に係る発明によれば、モータの正逆回転を利用し、定着駆動と定着圧解除とを切り換える場合、ジャム処理操作部材によりニップ位置の上流側に用紙を排出するには、加圧解除駆動手段により逆回転させる必要があるため、ジャム処理操作部材に負荷が掛かり逆回転して戻される事があるから、一方向クラッチを加圧解除駆動側に連結させることで、逆方向に回転する事は無くなり、ジャム処理操作部材が戻される事はなく、ジャム処理が容易に行えるようになる。
【００７３】
（７）  請求項７に係る発明によれば、定着装置の加圧解除手段とジャム処理操作部材により、記録媒体が定着装置内でジャムした場合でも、容易且つ迅速に取り除く事ができ、画像形成装置の画像形成処理の休止時間を最小限にする事ができる。
【図面の簡単な説明】
【図１】本発明に係る定着装置を備えた画像形成装置の構成図。
【図２】加熱ローラ方式の定着装置の断面図。
【図３】定着装置の駆動手段の正面図。
【図４】駆動手段の模式図。
【図５】駆動手段の斜視図。
【図６】加熱ローラと加圧ローラの加圧状態を示す定着装置の断面図。
【図７】加圧ローラを加熱ローラから離間させた加圧解除状態を示す定着装置の断面図。
【符号の説明】
１０Ｙ，１０Ｍ，１０Ｃ，１０Ｋ  画像形成手段
３０  定着装置
３１  加熱回転体（加熱ローラ）
３２  加圧回転体（加圧ローラ）
３３，３４  加熱源（ヒータ）
３８  回転軸
３９  ジャム処理操作部材
４０，４１  支持基板
５０  加圧解除手段
５１  揺動板
５２  支軸
５３  コロ
５４  バネ、
５５  カム
５６  カム軸
Ａ  画像形成装置
ＣＬ１，ＣＬ２，ＣＬ３  一方向クラッチ
Ｇ１〜Ｇ１３  ギア
Ｓ  記録媒体（用紙）
【図１】
2005043446.tif 000003
【図２】
2005043446.tif 000004
【図３】
2005043446.tif 000005
【図４】
2005043446.tif 000006
【図５】
2005043446.tif 000007
【図６】
2005043446.tif 000008
【図７】
2005043446.tif 000009